(57)【要約】【課題】移送中にワークに付着した処理液が他の処理槽に混入することのないキャリヤ式めっき装置を提供する。【解決手段】異なった種類の処理にそれぞれ使用する第一の処理槽１、第二の処理槽３、第三の処理槽５等から構成される処理槽群を設け、ワークに応じてその処理槽群から一つの処理槽を選択し、この処理槽にワークをキャリヤ１６により移送することにより複数の異なった種類の処理を行うキャリヤ式めっき装置において、処理槽の上面開口を覆う蓋１３を備える蓋用ハンガー８を処理槽群の処理槽の数より１少ない数だけ設けて処理槽群の処理槽上に置き、キャリヤ１６を制御するプログラムに、ワークに応じて選択使用される処理槽上にある蓋用ハンガー８を選択使用されない処理槽上に移送する工程を組み込んだ。【選択図】図１
2014040632.tif 000002
【特許請求の範囲】
【請求項１】
複数の異なった種類の処理にそれぞれ使用する、種類の数と同数の処理槽から構成される処理槽群を設け、ワークに応じてその処理槽群から一つの処理槽を選択し、この処理槽にワークをキャリヤにより移送することにより複数の異なった種類の処理を行うキャリヤ式めっき装置において、処理槽の上面開口を覆う蓋を備える蓋用ハンガーを処理槽群の処理槽の数より１少ない数だけ設けて処理槽群の処理槽上に置き、キャリヤを制御するプログラムに、ワークに応じて選択使用される処理槽上にある蓋用ハンガーを選択使用されない処理槽上に移送する工程を組み込んだことを特徴とするキャリヤ式めっき装置。
【請求項２】
蓋用ハンガーが備える蓋を受け皿としたことを特徴とする請求項１に記載のキャリヤ式めっき装置。
【発明の詳細な説明】
【技術分野】
【０００１】
本発明は、ワークをキャリヤにより搬送してめっき処理する、キャリヤ式めっき装置に関するものである。
【背景技術】
【０００２】
キャリヤ式めっき装置は、処理工程にしたがって配列された処理槽と、該処理槽に沿って設けられたレールと、該レールに支承されてレール上を走行するキャリヤとから構成されるものである。キャリヤはハンガーを上昇、下降させる昇降枠を備えており、ハンガーを上昇させてハンガーに取り付けられたワークを吊り上げ、走行して所定の位置までハンガーを移送し、ハンガーを下降させてワークを処理槽中に浸漬させる一連の動作をプログラムに従って繰り返し、めっき処理するものである。こうしたキャリヤ式めっき装置では、一つの装置で複数の異なった種類の処理をすることがあり、そうした場合にはそれぞれの処理に必要な薬液の入った処理槽が配列され、ワークに応じてその都度使用する処理槽が選択される。
【０００３】
複数の異なった種類の処理を行う例としては、亜鉛めっき後の３価クロム化成皮膜処理工程で白色、緑色、黒色のいずれかを選択するものがある。ハンガーが移送されるとき、処理槽から吊り上げられたワークには処理液が付着しており、移送中に付着した処理液が滴下することになる。この滴下する処理液が他の処理槽に混入すると処理液が変質し、適正な処理ができなくなって不良品の発生を招くことになり、従来は移送中のワークから滴下する処理液が他の処理槽に混入するのを防ぐため、作業者が使用しない処理槽に蓋を被せて対応するのが普通であった。
【０００４】
ところが、異なる処理をするワークが連続してめっき装置に投入される場合には、蓋の移動を頻繁に行わなければならず、作業者の負担が大きくなる。作業者の負担が大きくなって蓋を被せ忘れると滴下する処理液が混入することになり、使用する処理槽から蓋を取り忘れると蓋の上にワークが下降してめっき装置やワークが損傷する事故になる。こうした問題に対しては、キャリヤの下端部にワークから滴下する処理液を受ける受け皿を設け、移送中にワークから滴下した処理液が他の処理槽に混入することを防止するようにした、例えば特許文献１に示されるようなものが実用化されている。
【０００５】
特許文献１に示されているのは、キャリヤの下端部にワークから滴下する処理液を受ける受け皿を前後動自在に設け、受け皿の底面を傾斜面として受け皿に設けた溜め枡に滴下した処理液が集まるようにし、受け皿をワークが上限位置にあるときは前進端、その他のときは後退端に位置させ、キャリヤのあらかじめ定めた停止位置において溜め枡に集まった処理液をポンプにより排出するようにしたものである。これによりワークから処理液が滴下して移送途中に配置されている処理槽に混入することはないのであるが、受け皿、受け皿を前後動させるための駆動源、ポンプ等をキャリヤに設けたものであるため、駆動源への空気の供給、ポンプへの電力の供給、制御が必要となり、キャリヤが複雑になって重量が増し、高価になるという問題があった。
【先行技術文献】
【特許文献】
【０００６】
【特許文献１】特開２０１１−９４１９３号公報
【発明の概要】
【発明が解決しようとする課題】
【０００７】
以上述べたように、従来のキャリヤ式めっき装置では、移送中にワークから滴下する処理液が他の処理槽に混入して不良品の発生を招くという問題があり、作業者が使用しない処理槽に蓋を被せて滴下する処理液が混入しないようにするのが普通であった。しかしこうしたやり方では作業者の負担が大きく、蓋を被せ忘れる等のミスにより不良品を発生させるという問題があった。これに対し、キャリヤの下端部にワークから滴下する処理液を受ける受け皿を前後動自在に設けたものが実用化されているが、受け皿を前後動させるための駆動源への空気の供給、ポンプへの電力の供給、制御が必要となり、キャリヤが複雑になって重量が増し、高価になるという問題があった。
【０００８】
本発明は上記の問題点を解決しようとするものであり、人手によったりキャリヤに特別な装置を設けたりすることなく、移送中にワークに付着した処理液が他の処理槽に混入することのないキャリヤ式めっき装置を提供することを目的とするものである。
【課題を解決するための手段】
【０００９】
そして、本発明は上記目的を達成するために、複数の異なった種類の処理にそれぞれ使用する、種類の数と同数の処理槽から構成される処理槽群を設け、ワークに応じてその処理槽群から一つの処理槽を選択し、この処理槽にワークをキャリヤにより移送することにより複数の異なった種類の処理を行うキャリヤ式めっき装置において、処理槽の上面開口を覆う蓋を備える蓋用ハンガーを処理槽群の処理槽の数より１少ない数だけ設けて処理槽群の処理槽上に置き、キャリヤを制御するプログラムに、ワークに応じて選択使用される処理槽上にある蓋用ハンガーを選択使用されない処理槽上に移送する工程を組み込んだものである。この蓋用ハンガーが備える蓋は受け皿とすることが好ましい。
【００１０】
上記の課題解決手段による作用は次の通りである。すなわち、蓋用ハンガーは選択的に使用される処理槽群の処理槽の数より１少ない数だけ設けられて処理槽上に置かれているので、蓋用ハンガーが置かれていない処理槽が一つだけあることになる。キャリヤはプログラムにより制御され、ワークに応じて選択使用される処理槽上にある蓋用ハンガーを選択使用されない処理槽上に移送するので、選択使用される処理槽上には蓋用ハンガーがない状態となってワークを浸漬することができ、選択使用されない処理槽は蓋用ハンガーの蓋により覆われてワークから滴下する処理液が混入することがない。
【発明の効果】
【００１１】
以上述べたたように、本発明のキャリヤ式めっき装置によれば、プログラム制御されるキャリヤにより蓋用ハンガーが選択使用される処理槽上から選択使用されない処理槽上に移送されるので、作業者が蓋を移動させる必要がなく、作業者の負担をなくすることができる。しかも選択使用される処理槽からは確実に蓋が取り除かれ、選択使用されない処理槽は確実に蓋で覆われるので、蓋の上にワークが下降してめっき装置やワークが損傷したり、ワークから滴下する処理液が選択使用されない処理槽に混入して不良品を発生させたりすることはない。蓋を受け皿とした場合には、滴下する処理液が周辺に飛散することがない利点がある。
【図面の簡単な説明】
【００１２】
【図１】本発明のキャリヤ式めっき装置の要部の構成を示す側面図である。
【図２】蓋用ハンガーの側面図である。
【図３】蓋用ハンガーの正面図である。
【図４】蓋用ハンガーの平面図である。
【発明を実施するための形態】
【００１３】
以下、本発明の実施の形態を図に基づいて説明する。
【００１４】
図において１ないし６は処理槽及び水洗槽であって、処理工程の上流に近い側から第一の処理槽１、第一の水洗槽２、第二の処理槽３、第二の水洗槽４、第三の処理槽５、第三の水洗槽６が順番に配列されており、第一の処理槽１、第二の処理槽３、第三の処理槽５が処理槽群を構成することになる。この実施の形態では、亜鉛めっきの後に３価クロム化成皮膜処理の白色、緑色、黒色の３種類の何れかを選択して施すものであり、第一の処理槽１は白色、第二の処理槽３は緑色、第三の処理槽５は黒色となっている。そして、第一の処理槽１の処理工程上流側には図示しないめっき工程の各処理槽が配列されており、７はそのめっき工程の最終の最終処理槽を示している。また、第三の水洗槽６の処理工程下流側には図示しない後工程の槽や乾燥炉等が設けられている。
【００１５】
第一の処理槽１、第二の処理槽３、第三の処理槽５の左右の上面にはそれぞれハンガー受け１ａ、３ａ、５ａが設けられており、各処理槽の前後の上面にはそれぞれ排気フード１ｂ、１ｂ、３ｂ、３ｂ、５ｂ、５ｂが設けられている。また、第一の水洗槽２、第二の水洗槽４、第三の水洗槽６の左右の上面にはそれぞれハンガー受け２ａ、２ａ、４ａ、４ａ、６ａ、６ａが２個ずつ設けられている。第一の水洗槽２、第二の水洗槽４、第三の水洗槽６はそれぞれ中央で前後方向２つの部分に仕切られており、仕切られた前後の部分に順次ワークを浸漬することによって２段階の水洗ができるように構成されている。
【００１６】
図中８は蓋用ハンガーであって、ハンガーバー９の左右両端に縦方向の支柱１０、１０が設けられ、該支柱１０、１０の上端にはフック１１、１１が、下端にはハンガー受け１ａ、３ａ、５ａ等に係合して支承される脚部１２、１２がそれぞれ設けられており、こうした構成は従来の通常のハンガーと同じである。通常のハンガーはハンガーバー９にワークを取り付けるための治具が取り付けられるが、この蓋用ハンガー８のハンガーバー９に治具が取り付けられることはなく、ハンガーバー９の上面に第一の処理槽１等の処理槽の開口部を覆うことができる寸法の蓋１３が設けられている。この蓋１３は処理液に対して耐食性のある金属あるいは樹脂で成型された受け皿で後端側が開口部１４になっており、開口部１４には下方に向けて垂れ壁部１５が設けられている。蓋用ハンガー８は処理槽群を構成する処理槽の数より１少ない数だけ設けられており、この実施の形態では処理槽群を構成する処理槽の数が３個であるため２個となっている。
【００１７】
第一の処理槽１等の上部には、キャリヤ１６を支承するレール１７が槽配列に沿って設けられている。キャリヤ１６は従来のキャリヤと同様、走行用モータ１８と、走行用モータ１８により駆動される車輪１９と、昇降用モータ２０と、昇降用モータ２０により昇降動される昇降枠２１とから構成されており、昇降枠２１には図示しない通常のハンガーのフック及び蓋用ハンガー８のフック１１、１１に係合してこれらを吊り上げるためのピン２２が設けられている。キャリヤ１６は従来のキャリヤと同様、プログラムに従って所定の位置まで走行して昇降枠２１を上昇させ、別の所定の位置まで走行して昇降枠２１を下降させる一連の動作を繰り返すものであり、一連の動作を終わった時点では昇降枠２１が下降した状態となっている。
【００１８】
このように構成された本発明のキャリヤ式めっき装置において、めっき処理されたワークの取り付けられたハンガーが最終処理槽７に到達したときの動作について説明する。実際にはハンガーにワークが直接取り付けられるのではなく、ハンガーに取り付けられた治具にワークが取り付けられるのであるが、以下の説明でもこのように記述することとする。蓋用ハンガー８、８が第一の処理槽１の上と第三の処理槽５の上にあり、そのワークが緑色処理をするべきものである場合には、キャリヤ１６が最終処理槽７の位置まで走行して昇降枠２１を上昇させ、第二の処理槽３の位置まで走行して昇降枠２１を下降させる。これによりハンガーが最終処理槽７から第二の処理槽３に移送され、ワークが第二の処理槽３に浸漬されて緑色処理が行われる。
【００１９】
キャリヤ１６がハンガーを吊り上げて第二の処理槽３の位置まで走行する間、ワークは第一の処理槽１の上を通過することになるが、第一の処理槽１上には蓋用ハンガー８があるため、ワークから滴下する処理液は蓋１３により受け止められ、第一の処理槽１に混入することはない。第二の処理槽３でワークが処理されたハンガーは、キャリヤ１６によって第二の水洗槽４に移送されてワークが洗浄され、さらに後工程の槽等に移送される。このときにはワークが第三の処理槽５の上を通過することになるが、第三の処理槽５の上には蓋用ハンガー８があるため、ワークから滴下する処理液の希釈された水洗水が第三の処理槽５に混入することはない。蓋１３により受け止められた処理液や水洗水は開口１４、垂れ壁部１５を通って排気フード１ｂ、５ｂの上面に流れ、最終処理槽７、第二の水洗槽４に流入することになる。
【００２０】
緑色処理をしたワークの次のワークが白色処理をするべきものである場合には、キャリヤ１６が第一の処理槽１の位置まで走行して昇降枠２１を上昇させ、第二の処理槽３の位置まで走行して昇降枠２１を下降させる。これにより第一の処理槽１の上にあった蓋用ハンガー８は第二の処理槽３の上まで移送される。次にキャリヤ１６が最終処理槽７の位置まで走行して昇降枠２１を上昇させ、第一の処理槽１の位置まで走行して昇降枠２１を下降させる。これによりハンガーが最終処理槽７から第一の処理槽１に移送され、ワークが第一の処理槽１に浸漬されて白色処理が行われる。第一の処理槽１でワークが処理されたハンガーは、キャリヤ１６によって第一の水洗槽２に移送されて洗浄され、さらに後工程の槽等に移送される。このときワークは第二の処理槽３と第三の処理槽５の上を通過することになるが、第二の処理槽３と第三の処理槽５の上には蓋用ハンガー８があるため、ワークから滴下する処理液の希釈された水洗水が第二の処理槽３や第三の処理槽５に混入することはない。
【００２１】
白色処理をしたワークの次のワークが黒色処理をするべきものである場合には、キャリヤ１６が第三の処理槽５の位置まで走行して昇降枠２１を上昇させ、第一の処理槽１の位置まで走行して昇降枠２１を下降させる。これにより第三の処理槽５の上にあった蓋用ハンガー８は第一の処理槽１の上まで移送される。次にキャリヤ１６が最終処理槽７の位置まで走行して昇降枠２１を上昇させ、第三の処理槽５の位置まで走行して昇降枠２１を下降させる。これによりハンガーが最終処理槽７から第三の処理槽５に移送され、ワークが第三の処理槽５に浸漬されて黒色処理が行われる。このときワークが第一の処理槽１と第二の処理槽３の上を通過することになるが、第一の処理槽１と第二の処理槽３の上には蓋用ハンガー８があるため、ワークから滴下する処理液が第一の処理槽１や第二の処理槽３に混入することはない。
【００２２】
これを整理すると、次のワークが今回処理をしたワークと同じ色の処理をするべきものである場合には、当該色の処理槽以外の２個の処理槽の上に蓋用ハンガー８がある状態となっているので、キャリヤ１６が蓋用ハンガー８を移送する必要はなく、そのための動作はしない。次のワークが今回処理をしたワークと異なった色の処理をするべきものである場合には、次のワークを処理するために使用される処理槽上に蓋用ハンガー８があり、今回の処理をするために使用された処理槽上には蓋用ハンガー８がないので、次のワークを処理するために使用される処理槽から今回の処理をするために使用された処理槽に蓋用ハンガー８を移送する必要があり、キャリヤ１６はそのように動作する。
【００２３】
このようなキャリヤ１６の動作は従来のキャリヤ式めっき装置と同様にプログラムによって制御されるものである。蓋用ハンガー８をどのように移送するかは、今回のワークと次回のワークの組み合わせによって決まり、次回のワークが取り付けられたハンガーをどのように移送するかは次回のワークにより決まるので、こうした組み合わせに応じたプログラムをそれぞれ組み込んでおき、それを選択することで対応することができる。例えば、ハンガーにワークを取り付ける際にワークの種類を制御装置に入力することにより制御装置にワークを追跡させ、ワークが最終処理槽７まで到達した時点でプログラムが自動的に選択されるようにすることができる。
【００２４】
以上説明したように、本発明のキャリヤ式めっき装置では、蓋用ハンガー８が処理槽群の処理槽の数より１少ない数だけ設けられており、ワークに応じて選択された処理槽以外の処理槽上に蓋用ハンガー８が置かれるようにキャリヤ１６により移送される。これにより選択された処理槽以外の処理槽は蓋用ハンガー８の蓋１３で覆われるので、ワークから滴下した処理液は蓋１３で受け止められ、選択された処理槽以外の処理槽に混入することはない。蓋１３で受け止められた処理液は排気フード１ｂ、３ｂ、５ｂの上面から最終処理槽７、第一の水洗槽２、第二の水洗槽４等に流入することになる。
【００２５】
次のワークが異なった処理をするべきものである場合には、そのワークに対応した処理槽が選択され、選択された処理槽の上にあった蓋用ハンガー８がそのとき蓋用ハンガー８のなかった処理槽の上までキャリヤ１６により移送されるのであるが、キャリヤ１６はプログラムにより制御されるのでこの移送は確実に行われることになる。したがって、選択された処理槽の上だけ蓋用ハンガー８がなく、選択された処理槽以外の処理槽の上に蓋用ハンガー８、８がある状態に確実になり、ワークから滴下する処理液が混入したり、蓋の上にワークが下降したりすることがない利点がある。
【００２６】
また、本発明はワークに応じて蓋用ハンガー８がキャリヤ１６により移送されるものであり、キャリヤ１６には特別な装置を設ける必要がないので、蓋用ハンガー８を追加してキャリヤ１６のプログラムを変更することにより既設のキャリヤ式めっき装置を本発明のキャリヤ式めっき装置に改造することができる利点がある。なお、通常のハンガーはワークへの給電のためキャリヤバー９には電導性に優れた銅系の材料が使われるが、蓋用ハンガー８は給電することがないので安価な材料を使用することができ、フック１１や脚部１２が通常のハンガーと同じであるので、複数のキャリヤが設けられた場合に他のキャリヤでの移送が可能であり、蓋用ハンガー８を処理槽列の外に取り出して清掃、手入れ等をすることができる利点もある。
【符号の説明】
【００２７】
１  第一の処理槽
１ａ  ハンガー受け
１ｂ  排気フード
２  第一の水洗槽
２ａ  ハンガー受け
３  第二の処理槽
３ａ  ハンガー受け
３ｂ  排気フード
４  第二の水洗槽
４ａ  ハンガー受け
５  第三の処理槽
５ａ  ハンガー受け
５ｂ  排気フード
６  第三の水洗槽
６ａ  ハンガー受け
７  最終処理槽
８  蓋用ハンガー
９  ハンガーバー
１０  支柱
１１  フック
１２  脚部
１３  蓋
１４  開口
１５  垂れ壁部
１６  キャリヤ
１７  レール
１８  走行用モータ
１９  車輪
２０  昇降用モータ
２１  昇降枠
２２  ピン
【図１】
2014040632.tif 000003
【図２】
2014040632.tif 000004
【図３】
2014040632.tif 000005
【図４】
2014040632.tif 000006